(57)【要約】【課題】通信の低遅延化が可能な基地局装置、端末装置及び通信方法を提供すること。【解決手段】本発明の基地局装置は、許容遅延時間がそれぞれ異なる第１の通信方式と、第２の通信方式に基づいて、端末装置と通信を行なう基地局装置であって、前記第１の通信方式に用いる複数のリソース候補を示す情報を含んだプレスケジューリング情報を、前記端末装置に通知し、前記複数のリソース候補が示すリソースにおいて、前記第１の通信方式の受信動作に入る。【選択図】図２
2018110280.tif 000002
【特許請求の範囲】
【請求項１】
許容遅延時間がそれぞれ異なる第１の通信方式と、第２の通信方式に基づいて、端末装置と通信を行なう基地局装置であって、
前記第１の通信方式に用いる複数のリソース候補を示す情報を含んだプレスケジューリング情報を、前記端末装置に通知し、
前記複数のリソース候補が示すリソースにおいて、前記第１の通信方式の受信動作に入る基地局装置。
【請求項２】
前記複数のリソース候補の優先順位を示す情報を、前記プレスケジューリング情報に含める、請求項１に記載の基地局装置。
【請求項３】
前記端末装置が送信する復調用参照信号に関連付けられた情報を、前記プレスケジューリング情報に含める、請求項１または請求項２に記載の基地局装置。
【請求項４】
前記端末装置からの要求に基づいて、前記プレスケジューリング情報を再設定する情報を、前記端末装置に通知する、請求項１に記載の基地局装置。
【請求項５】
前記プレスケジューリング情報には、前記端末装置に前記第１の通信方式に基づいた通信を許可する期間を示す情報が含まれており、
前記期間において、前記第１の通信方式の受信動作に入ることを特徴とする、請求項１に記載の基地局装置。
【請求項６】
前記端末装置を含む、複数の端末装置と、前記第１の通信方式に基づいて通信を行なう場合、前記複数の端末装置に、共通の前記プレスケジューリング情報を通知する、請求項１に記載の基地局装置。
【請求項７】
許容遅延時間がそれぞれ異なる第１の通信方式と、第２の通信方式に基づいて、基地局装置と通信を行なう端末装置であって、
前記基地局装置より通知される、前記第１の通信方式に用いる複数のリソース候補を示す情報を含んだプレスケジューリング情報を取得し、
前記第１の通信方式を用いて通信を行なう場合、前記複数のリソース候補のうち、少なくとも一つのリソースを用いる端末装置。
【請求項８】
前記第１の通信方式を用いて通信を行なう場合、初送信号と再送信号に対して、前記複数のリソース候補より、それぞれ異なるリソースを選択して用いる、請求項７に記載の端末装置。
【請求項９】
許容遅延時間がそれぞれ異なる第１の通信方式と、第２の通信方式に基づいて、端末装置と通信を行なう基地局装置の通信方法であって、
前記第１の通信方式に用いる複数のリソース候補を示す情報を含んだプレスケジューリング情報を、前記端末装置に通知するステップと、
前記複数のリソース候補が示すリソースにおいて、前記第１の通信方式の受信動作に入るステップと、を備える通信方法。
【請求項１０】
許容遅延時間がそれぞれ異なる第１の通信方式と、第２の通信方式に基づいて、基地局装置と通信を行なう端末装置の通信方法であって、
前記基地局装置より通知される、前記第１の通信方式に用いる複数のリソース候補を示す情報を含んだプレスケジューリング情報を取得するステップと、
前記第１の通信方式を用いて通信を行なう場合、前記複数のリソース候補のうち、少なくとも一つのリソースを用いるステップと、を備える通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、送信局、送信点、下りリンク送信装置、上りリンク受信装置、送信アンテナ群、送信アンテナポート群、コンポーネントキャリア、ｅＮｏｄｅＢ）或いは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。
【０００３】
近年では、ＭＩＭＯ（Multiple Input Multiple Output）や多値変調などの技術により、大幅にスループットが向上することが可能となっている。また、次世代移動通信システムでも、一層のスループット向上が求められている。一方で、トータルの通信速度を考えた場合、ビットレートの向上に加えて、通信アクセス時間や通信装置間の手続き等による遅延を減少させることによる通信の低遅延化も重要な技術である。ある種のＭＴＣ（Machine Type Communication）など、ビットレートの要求は高くないが瞬時の通信が必要な場合などは、遅延による影響は大きく、通信の低遅延化が求められている。非特許文献１には通信の低遅延化について記載されている。
【先行技術文献】
【非特許文献】
【０００４】
【非特許文献１】“Ｓｔｕｄｙ  ｏｎ  Ｌａｔｅｎｃｙ  ｒｅｄｕｃｔｉｏｎ  ｆｏｒ  ＬＴＥ”、３ＧＰＰ  ＴＳＧ  ＲＡＮ  Ｍｅｅｔｉｎｇ  ＃６７、２０１５年  ３月。
【発明の概要】
【発明が解決しようとする課題】
【０００５】
通信の低遅延化のためには、通信の高信頼性も重要な要素となる。しかしながら、非特許文献１には、通信の低遅延化を実現するための具体的な手段は記載されていない。本発明はこのような事情を鑑みてなされてものであり、その目的は、通信の低遅延化が可能な基地局装置、端末装置及び通信方法を提供することにある。
【課題を解決するための手段】
【０００６】
上述した課題を解決するために本発明に係る基地局装置、端末装置および通信方法の構成は、次の通りである。
【０００７】
（１）本発明の基地局装置は、許容遅延時間がそれぞれ異なる第１の通信方式と、第２の通信方式に基づいて、端末装置と通信を行なう基地局装置であって、前記第１の通信方式に用いる複数のリソース候補を示す情報を含んだプレスケジューリング情報を、前記端末装置に通知し、前記複数のリソース候補が示すリソースにおいて、前記第１の通信方式の受信動作に入る。
【０００８】
（２）また、本発明の基地局装置は、上記（１）に記載の基地局装置であって、前記複数のリソース候補の優先順位を示す情報を、前記プレスケジューリング情報に含める。
【０００９】
（３）また、本発明の基地局装置は、上記（１）または（２）に記載の基地局装置であって、前記端末装置が送信する復調用参照信号に関連付けられた情報を、前記プレスケジューリング情報に含める。
【００１０】
（４）また、本発明の基地局装置は、上記（１）に記載の基地局装置であって、前記端末装置からの要求に基づいて、前記プレスケジューリング情報を再設定する情報を、前記端末装置に通知する。
【００１１】
（５）また、本発明の基地局装置は、上記（１）に記載の基地局装置であって、前記プレスケジューリング情報には、前記端末装置に前記第１の通信方式に基づいた通信を許可する期間を示す情報が含まれており、前記期間において、前記第１の通信方式の受信動作に入る。
【００１２】
（６）また、本発明の基地局装置は、上記（１）に記載の基地局装置であって、前記端末装置を含む、複数の端末装置と、前記第１の通信方式に基づいて通信を行なう場合、前記複数の端末装置に、共通の前記プレスケジューリング情報を通知する。
【００１３】
（７）また、本発明の端末装置は、許容遅延時間がそれぞれ異なる第１の通信方式と、第２の通信方式に基づいて、基地局装置と通信を行なう端末装置であって、前記基地局装置より通知される、前記第１の通信方式に用いる複数のリソース候補を示す情報を含んだプレスケジューリング情報を取得し、前記第１の通信方式を用いて通信を行なう場合、前記複数のリソース候補のうち、少なくとも一つのリソースを用いる。
【００１４】
（８）また、本発明の端末装置は、上記（７）に記載の端末装置であって、前記第１の通信方式を用いて通信を行なう場合、初送信号と再送信号に対して、前記複数のリソース候補より、それぞれ異なるリソースを選択して用いる。
【００１５】
（９）また、本発明の通信方法は、許容遅延時間がそれぞれ異なる第１の通信方式と、第２の通信方式に基づいて、端末装置と通信を行なう基地局装置の通信方法であって、前記第１の通信方式に用いる複数のリソース候補を示す情報を含んだプレスケジューリング情報を、前記端末装置に通知するステップと、前記複数のリソース候補が示すリソースにおいて、前記第１の通信方式の受信動作に入るステップと、を備える。
【００１６】
（１０）また、本発明の通信方法は、許容遅延時間がそれぞれ異なる第１の通信方式と、第２の通信方式に基づいて、基地局装置と通信を行なう端末装置の通信方法であって、前記基地局装置より通知される、前記第１の通信方式に用いる複数のリソース候補を示す情報を含んだプレスケジューリング情報を取得するステップと、前記第１の通信方式を用いて通信を行なう場合、前記複数のリソース候補のうち、少なくとも一つのリソースを用いるステップと、を備える。
【発明の効果】
【００１７】
本発明の基地局装置、端末装置および通信方法によれば、低遅延な通信を実現することができるから、オーバーヘッドの低減を含む、システム全体の効率化に寄与できる。
【図面の簡単な説明】
【００１８】
【図１】本実施形態に係る通信システムの例を示す図である
【図２】本実施形態に係る通信の一例を示すシーケンスチャートである
【図３】本実施形態に係る基地局装置の一構成例を示すブロック図である
【図４】本実施形態に係る端末装置の一構成例を示すブロック図である
【発明を実施するための形態】
【００１９】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。
【００２０】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２１】
図１は、本実施形態に係る通信システムの例を示す図である。図１に示すように、本実施形態における通信システムは、基地局装置１、端末装置２を備える。また、カバレッジ１−１は、基地局装置１が端末装置と接続可能な範囲（通信エリア）である。
【００２２】
図１において、端末装置２から基地局装置１への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２３】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバックとも称する。
【００２４】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００２５】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（coding rate）とすることができる。ＣＱＩ値は、前記変更方式や符号化率により定められたインデックス（CQI Index）とすることができる。前記ＣＱＩ値は、予め当該システムで定めたものをすることができる。
【００２６】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２７】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２８】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００２９】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３０】
ＰＲＡＣＨは、ランダムアクセスプリアンブルを送信するために用いられる。
【００３１】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３２】
ＤＭＲＳは、ＰＵＳＣＨまたはＰＵＣＣＨの送信に関連する。例えば、基地局装置１は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１は、上りリンクのチャネル状態を測定するためにＳＲＳを使用する。
【００３３】
図１において、基地局装置１から端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００３４】
ＰＢＣＨは、端末装置で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、ＯＦＤＭシンボルの数）を指示する情報を送信するために用いられる。
【００３５】
ＰＨＩＣＨは、基地局装置１が受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２は、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２はＡＣＫを上位レイヤに通知する。
【００３６】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３７】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３８】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００３９】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４０】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４１】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプリコーダを指定するプリコーディング行列指標ＰＭＩ（Precoding Matrix Indicator）、好適な伝送レートを指定するチャネル品質指標ＣＱＩ（Channel Quality Indicator）、プリコーディングタイプ指標ＰＴＩ（Precoding type Indicator）などが該当する。
【００４２】
また、上りリンクに対するＤＣＩフォーマットは、端末装置が基地局装置にフィードバックするチャネル状態情報報告(CSI feedback report)をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４３】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００４４】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４５】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００４６】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４７】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００４８】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１から送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００４９】
ここで、ＲＲＣメッセージおよび／またはＭＡＣ  ＣＥを、上位層の信号（higher layer signaling）とも称する。
【００５０】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５１】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対して１つのチャネル状態情報を算出する。狭帯域ＣＳＩは、システム帯域を所定の単位に区分し、その区分に対して１つのチャネル状態情報を算出する。
【００５２】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５３】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００５４】
ここで、下りリンク参照信号には、ＣＲＳ（Cell-specific Reference Signal;
セル固有参照信号）、ＰＤＳＣＨに関連するＵＲＳ（UE-specific Reference Signal；端末固有参照信号）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５５】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５６】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５７】
ＮＺＰ  ＣＳＩ−ＲＳのリソースは、基地局装置１によって設定される。例えば、端末装置２は、ＮＺＰ  ＣＳＩ−ＲＳを用いて信号の測定（チャネルの測定）を行なう。ＺＰ  ＣＳＩ−ＲＳのリソースは、基地局装置１によって設定される。基地局装置１は、ＺＰ  ＣＳＩ−ＲＳをゼロ出力で送信する。例えば、端末装置２は、ＮＺＰ  ＣＳＩ−ＲＳが対応するリソースにおいて干渉の測定を行なう。
【００５８】
ＭＢＳＦＮ（Multimedia Broadcast multicast service Single Frequency Network）  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【００５９】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６０】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００６１】
本実施形態に係る基地局装置は、端末装置との通信に先立ち、端末装置が用いる複数のリソースの候補を、端末装置に通知する。端末装置は、自装置に送信すべきデータ（トラフィック）が発生すると、基地局装置より通知された複数のリソースの候補から、一つを選択する。そして、端末装置は、選択したリソースを用いて、基地局装置に対して、データ送信を行なうことができる。従来のＬＴＥにおいては、端末装置は、トラフィックが発生してから、自装置が通信に用いるリソースを基地局装置に要求（スケジューリングリクエスト）していたから、本発明の方法によれば、端末装置は、データ送信開始までの時間の大幅に削減することができる。
【００６２】
図２は、本実施形態に係る通信の一例を示すシーケンスチャートである。基地局装置は、はじめに、端末装置が用いる複数のリソースの候補を、端末装置に通知するプレスケジューリングを行なう（ステップＳ２０１）。以下では、プレスケジューリングに基づいて端末装置が信号を送信する通信方法を、低遅延通信方式（第１の通信方式）とも呼称する。一方で、従来のスケジューリングリクエストに基づいて端末装置が信号を送信する通信方法を、通常通信方式（第２の通信方式）とも呼称する。ここで、低遅延通信方式に許容される遅延時間は、通常通信方式よりも短いものとする。言い換えると、端末装置は、許容遅延時間の異なる２つの通信方式を用いて、基地局装置と通信を行なっていると言える、以下では、主に、第１の通信方式に基づいて、基地局装置と端末装置が通信を行なう場合を対象として説明を行なう。
【００６３】
基地局装置が端末装置に通知する複数のリソースの候補の種類や候補数は何かに限定されるものではない。例えば、基地局装置は、プレスケジューリング情報として、端末装置に複数個のリソースブロック、もしくはサブバンドに代表される周波数リソースに関連付けられた情報を通知することができる。また、基地局装置は、プレスケジューリング情報として、スロット番号、サブフレーム番号、システムフレームナンバーに代表される時間リソースに関連付けられた情報を通知することができる。また、基地局装置は、プレスケジューリング情報として、アンテナポート番号に代表される空間リソースに関連付けられた情報を通知することができる。また、基地局装置は、時間、周波数および空間の各リソースに関する情報を、１種類だけ端末装置に通知しても良いし、複数種類を通知しても良い。
【００６４】
基地局装置は、端末装置に、複数のリソースの候補を示す情報を、プレスケジューリング情報に含めることで、端末装置は、低遅延通信に利用可能なリソースに複数の選択肢を得ることができる。端末装置は、複数のリソースの候補から、低遅延通信に利用するリソースを選択することで、自装置が低遅延通信に基づいて送信した信号と、他の端末装置が、低遅延通信に基づいて送信した信号との衝突確率を低減することができる。また、基地局装置が、プレスケジューリング情報に、複数のリソースの候補を予め含めることで、基地局装置は、プレスケジューリング情報を端末装置に通知する頻度を低減することができる。
【００６５】
基地局装置に、他の端末装置を含む複数の端末装置が接続されている場合、基地局装置は、複数の端末装置に、共通のプレスケジューリング情報を通知することができる。このように制御することで、基地局装置は、プレスケジューリング情報を自装置に接続された複数の端末装置に報知することができるから、プレスケジューリング情報の通知に係るオーバーヘッドを低減することができる。また、プレスケジューリング情報には、複数のリソース候補が記載されているから、複数の端末装置は、共通のプレスケジューリング情報を受信したとしても、それぞれ異なるリソースを選択できる余地があるから、複数の端末装置が低遅延通信を行なった場合に、それぞれが送信する信号が衝突する確率を低減できる。
【００６６】
基地局装置に、他の端末装置を含む複数の端末装置が接続されている場合、基地局装置は、複数の端末装置に、それぞれ異なるプレスケジューリング情報を通知することができる。基地局装置は、異なるプレスケジューリング情報に、それぞれ異なる複数のリソースの候補を示す情報を含めることができる。また、基地局装置は、異なるプレスケジューリング情報に、一部が共通の複数のリソースの候補を示す情報を含めることができる。このように制御することで、複数の端末装置は、それぞれ異なるリソースを用いて低遅延通信を行なう確率が高まることから、複数の端末装置が低遅延通信を行なった場合に、それぞれが送信する信号が衝突する確率を低減できる。
【００６７】
基地局装置は、プレスケジューリング情報として、複数のリソースの候補を含めることができるが、更に基地局装置は、複数のリソースの候補の優先順位を示す情報を、プレスケジューリング情報に含めることができる。なお、複数のリソースの候補の優先順位を示す情報は、プレスケジューリング情報だけではなく、基地局装置と端末装置との間で、予め取り決めておくことも可能である。
【００６８】
また、基地局装置は、符号リソースに関連付けられた情報を、プレスケジューリング情報に含めることができる。本実施形態に係る端末装置は、低遅延通信を、符号分割多重アクセス（Code division multiple access：ＣＤＭＡ）に基づいて行なうことができる。例えば、端末装置は、疑似雑音（Pseudo noise：ＰＮ）系列を用いて、送信するデータを拡散し、基地局装置に送信することができる。このとき、基地局装置は、プレスケジューリング情報に、ＰＮ系列の生成式、初期値、および拡散率等の情報を含めることができる。なお、本実施形態に係る端末装置は、ＰＮ系列以外の符号系列を、低遅延通信に用いることができる。例えば、端末装置は、Ｗａｌｓｈ符号や直交変数拡散係数（Orthogonal variable spreading factor：ＯＶＳＦ）符号に代表される直交拡散符号や、ＤＦＴ行列等の直交基底より算出される拡散符号を用いることも出来るし、基地局装置は、プレスケジューリング情報に、ＰＮ系列以外の符号系列に関する情報を含めることができる。
【００６９】
また、基地局装置は、プレスケジューリング情報に、端末装置の低遅延通信に必要な情報の一部を含めることができる。基地局装置は、端末装置の低遅延通信に必要な情報として、例えば、トランスポートブロックサイズ、ＭＣＳ、送信ストリーム数、コードワード数、プレコーディング情報、ＤＭＲＳの信号系列、ＤＭＲＳの信号系列に与える位相回転量等をプレスケジューリング情報に含めることができる。
【００７０】
基地局装置は、プレスケジューリング情報を、ＰＢＣＨやＰＤＣＣＨ（もしくはＥＰＤＣＣＨ）を用いて送信する信号に含めることができる。また、基地局装置は、ＲＲＣシグナリングのような上位レイヤの信号に含めて、プレスケジューリング情報を送信することができる。
【００７１】
次いで、端末装置は、基地局装置より通知されるプレスケジューリング情報に基づいて、自装置が低遅延通信を行なう際に用いるリソースの候補を取得する（ステップＳ２０２）。端末装置は、プレスケジューリング情報に含まれている複数のリソースの候補よりランダムにリソースを選択することができる。また、プレスケジューリング情報に、複数のリソースの候補の優先順位を示す情報が含まれている場合、端末装置は、該優先順位に基づいて、複数のリソースの候補より、リソースを選択することができる。
【００７２】
次いで、端末装置に、基地局装置に送信すべきデータ（トラフィック）が発生したとき（ステップＳ２０３）、端末装置は、ステップＳ２０３で取得したリソース候補のいずれか一つ、ないし複数を用いて、該データを基地局装置に送信する（ステップＳ２０４）。
【００７３】
基地局装置は、ステップＳ２０１で、端末装置に通知した複数のリソースに対して、低遅延通信方式にて送信された信号を復調するための受信動作に入ることができる。端末装置が低遅延通信にて送信する信号は、基地局装置がステップＳ２０１にて、端末装置に通知した複数のリソースの何れか一つ、ないし複数を用いて送信されているから、基地局装置は、端末装置に通知した複数のリソースに対する受信動作により、端末装置が送信した信号を復調することができる（ステップＳ２０４）。
【００７４】
基地局装置は、端末装置に通知したプレスケジューリング情報を再設定することができる。基地局装置は、ＰＤＣＣＨを用いて、プレスケジューリング情報を、周期的に送信することができる。また、基地局装置は、ＰＤＣＣＨを用いて、プレスケジューリング情報を、非周期的に送信することもできる。基地局装置は、プレスケジューリング情報を再設定する場合、全てのプレスケジューリング情報を改めて通知しても良いし、直近で通知したプレスケジューリング情報との差分を示す情報を通知しても良い。基地局装置が、プレスケジューリング情報を非周期的に送信する際のトリガーは、端末装置から低遅延通信に基づいて送信された信号の受信品質等に基づいて、基地局装置が掛けることができる。また、端末装置が、自装置が低遅延通信に基づいて送信した信号の受信品質に基づいて、基地局装置にトリガーを掛けても良い。例えば、端末装置は、基地局装置からの再送要求が多いと判断した場合、基地局装置に対して、トリガーをかけることができる。
【００７５】
端末装置は、基地局装置がプレスケジューリング情報として通知してきた複数のリソースの、何れか一つ、ないし複数を用いて低遅延通信を行なうことができる。端末装置は、複数のリソースより、ランダムにリソースを選択して、低遅延通信を行なうことができる。また、端末装置は、低遅延通信で発生した誤りに基づいて、低遅延通信に用いるリソースを選択することができる。例えば、端末装置がプレスケジューリング情報より、第１のリソースと第２のリソースの２つのリソースの候補を取得している場合を考える。ここで、端末装置が第１のリソースを用いて、低遅延通信を行ない、誤りが発生し、基地局装置より再送要求が発呼されたものとする。このとき、端末装置は低遅延通信で発生した誤りに起因する再送について、初送で用いたリソース（第１のリソース）とは、異なるリソース（第２のリソース）を用いることができる。
【００７６】
端末装置は、プライマリセル（Primary cell：Ｐｃｅｌｌ）と、セカンダリセル（Secondary cell：Ｓｃｅｌｌ）とで、低遅延通信を行なうか否かを、それぞれで判断、もしくは切り替えることができる。基地局装置は、プレスケジューリング情報として、端末装置にＰｃｅｌｌでの低遅延通信を許可するか否か、もしくは端末装置にＳｃｅｌｌでの低遅延通信を許可するか否かを含めることができる。当然、基地局装置は、プレスケジューリング情報として、端末装置にＰｃｅｌｌでの低遅延通信を禁止する旨を示す情報を含めることが出来るし、端末装置にＳｃｅｌｌでの低遅延通信を禁止する旨を示す情報を含めることができる。
【００７７】
基地局装置は、プレスケジューリング情報として、端末装置に低遅延通信を許可する期間を示す情報を含めることができる。端末装置は、該プレスケジューリング情報に記載された期間においてのみ、低遅延通信を行なうことができる。基地局装置は、プレスケジューリング情報として通知した、端末装置に低遅延通信を許可する期間において、該低遅延通信の許可を取り消す情報を、端末装置に通知することができる。端末装置は、該低遅延通信の許可を取り消す情報を取得した場合、低遅延通信の開始を停止することができる。このとき、基地局装置は、低遅延通信を許可しない期間においては、端末装置に通知した複数のリソースの候補に対する受信動作を停止することができる。
【００７８】
また、本実施形態に係る端末装置は、Ｓｅｍｉ−ｐｅｒｓｉｔｅｎｔ  ｓｃｈｅｄｕｌｉｎｇ（SPS）に基づいて、低遅延通信を行なうことができる。ＳＰＳでは、基地局装置は、ＰＤＣＣＨを用いて、端末装置に、上りリンク通信のための周期的なリソースを予め通知することができる。また、基地局装置は、ＰＤＣＣＨを用いて、端末装置に予め割り当てるリソースを周期的に通知することができる。端末装置は、基地局装置より予め割り当てられたリソースに用いて、低遅延通信を行なうことができる。従来のＳＰＳでは、端末装置の通信に誤りが発生しても、再送は行われない。本実施形態に係る端末装置は、ＳＰＳに基づいた通信で誤りが発生した場合、基地局装置は、端末装置に再送要求を発呼することができる。端末装置は、基地局装置より発呼された再送要求に基づいて、該再送要求に関連付けられたデータの再送を行なうことができる。端末装置がデータの再送を行なうリソースは、初送時に用いたリソースを用いても良いし、異なるリソースを用いても良い。また、端末装置は、再送を、低遅延通信方式（第１の通信方式）ではなく、通常通信方式（第２の通信方式）に基づいて行っても良い。なお、基地局から通知される周波数領域におけるリソース候補は複数であってもよいし、１つであってもよい。
【００７９】
また、従来のＳＰＳでは、下りリンク制御情報（ＤＣＩ）によってアップリンクのＤＭＲＳのサイクリックシフト量を示す値は‘０００’、ＴＰＣコマンドは‘００’、ＭＣＳを示す領域のＭＳＢは‘０’に設定される。端末装置は、上記の値に設定されたことによって、ダイナミックスケジューリングではなくＳＰＳが設定されたものと認識することができる。一方、本実施家形態に係る端末装置が、ＳＰＳに基づいて低遅延通信を行なう場合、基地局装置はプレスケジューリング情報に、端末装置が送信するＤＭＲＳに関する情報を含めることができる。つまり上記のＤＭＲＳの値を‘０００’以外の値に設定することも可能となる。これにより、従来のＳＰＳでは、端末装置がＤＭＲＳに与える位相回転量は一意に定まっていたのに対して、本実施形態に係る方法によれば、端末装置は、他の端末装置とは異なる位相回転量をＤＭＲＳの信号系列に与えることが可能となるから、複数の端末装置から送信されるＤＭＲＳの直交性を高めることができる。なお従来のＳＰＳの場合は、他の端末装置宛てのＤＣＩを復号しＣＲＣに成功してしまった場合、ＳＰＳによって長期的にリソースを使用し続けることになってしまう。そこで上記のようにサイクリックシフトに制限を与え、他の端末装置宛てのＤＣＩを復号しＣＲＣに成功しても誤ってＳＰＳをアクティベートしないようにしている。しかしながら低遅延伝送ではリソースを長期的に確保することがないため、ＤＭＲＳのサイクリックシフト量を任意に設定することができる。
【００８０】
図３は、本実施形態における基地局装置１の構成を示す概略ブロック図である。図３に示すように、基地局装置１は、上位層処理部（上位層処理ステップ）１０１、制御部（制御ステップ）１０２、送信部（送信ステップ）１０３、受信部（受信ステップ）１０４と送受信アンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、下りリンク参照信号生成部（下りリンク参照信号生成ステップ）１０３３、多重部（多重ステップ）１０３４、無線送信部（無線送信ステップ）１０３５を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００８１】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００８２】
上位層処理部１０１は、端末装置の機能（UE capability）等、端末装置に関する情報を端末装置から受信する。言い換えると、端末装置は、自身の機能を基地局装置に上位層の信号で送信する。
【００８３】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００８４】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００８５】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００８６】
スケジューリング部１０１２は、物理チャネル（ＰＤＳＣＨおよびＰＵＳＣＨ）を割り当てる周波数およびサブフレーム及び／又はスロット、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００８７】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００８８】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００８９】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００９０】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【００９１】
下りリンク参照信号生成部１０３３は、基地局装置１を識別するための物理セル識別子（ＰＣＩ、セルＩＤ）などを基に予め定められた規則で求まる、端末装置２が既知の系列を下りリンク参照信号として生成する。
【００９２】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００９３】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【００９４】
受信部１０４は、制御部１０２から入力された制御信号に従って、送受信アンテナ１０５を介して端末装置２から受信した受信信号を分離、復調、復号し、復号した情報を上位層処理部１０１に出力する。
【００９５】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００９６】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【００９７】
多重分離部１０４２は、無線受信部１０４１から入力された信号をＰＵＣＣＨ、ＰＵＳＣＨ、上りリンク参照信号などの信号に分離する。なお、この分離は、予め基地局装置１が無線リソース制御部１０１１で決定し、各端末装置２に通知した上りリンクグラントに含まれる無線リソースの割り当て情報に基づいて行なわれる。
【００９８】
また、多重分離部１０４２は、ＰＵＣＣＨとＰＵＳＣＨの伝搬路の補償を行なう。また、多重分離部１０４２は、上りリンク参照信号を分離する。
【００９９】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【０１００】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【０１０１】
図４は、本実施形態における端末装置２の構成を示す概略ブロック図である。図４に示すように、端末装置２は、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５と送受信アンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、上りリンク参照信号生成部（上りリンク参照信号生成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３を含んで構成される。
【０１０２】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１０３】
上位層処理部２０１は、自端末装置がサポートしている端末装置の機能を示す情報を、送信部２０３に出力する。
【０１０４】
無線リソース制御部２０１１は、自端末装置の各種設定情報の管理をする。また、無線リソース制御部２０１１は、上りリンクの各チャネルに配置される情報を生成し、送信部２０３に出力する。
【０１０５】
無線リソース制御部２０１１は、基地局装置から送信されたＣＳＩフィードバックに関する設定情報を取得し、制御部２０２に出力する。
【０１０６】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１０７】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１０８】
制御部２０２は、チャネル状態情報生成部２０５が生成したＣＳＩを基地局装置に送信するように送信部２０３を制御する。
【０１０９】
受信部２０４は、制御部２０２から入力された制御信号に従って、送受信アンテナ２０６を介して基地局装置１から受信した受信信号を、分離、復調、復号し、復号した情報を上位層処理部２０１に出力する。
【０１１０】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１１１】
また、無線受信部２０４１は、変換したディジタル信号からＣＰに相当する部分を除去し、ＣＰを除去した信号に対して高速フーリエ変換を行い、周波数領域の信号を抽出する。
【０１１２】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１１３】
信号検出部２０４３は、ＰＤＳＣＨ、チャネル推定値を用いて、信号検出し、上位層処理部２０１に出力する。
【０１１４】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１に送信する。
【０１１５】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１１６】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１１７】
上りリンク参照信号生成部２０３３は、基地局装置１を識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１１８】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１１９】
無線送信部２０３５は、多重された信号を逆高速フーリエ変換（Inverse Fast Fourier Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１２０】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１２１】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１２２】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１２３】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１２４】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１２５】
本発明は、基地局装置、端末装置および通信方法に用いて好適である。
【符号の説明】
【０１２６】
１  基地局装置
２  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
2018110280.tif 000003
【図２】
2018110280.tif 000004
【図３】
2018110280.tif 000005
【図４】
2018110280.tif 000006